(57)【特許請求の範囲】
【請求項１】
写真フィルムの画像面に担持された画像情報を前記画像面を透過した透過光に基づいて処理する画像処理部と、写真フィルムを支持するために前記画像処理部に対して着脱可能に配置されたフィルムマスクユニットとを有し、
前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有し、
写真処理装置の本体と前記フィルムマスクユニットの間に、前記開口部が前記透過光の光軸と一致する所定位置にある前記フィルムマスクユニットを、前記所定位置から移動不能なロック状態と、前記フィルムマスクユニットの前記所定位置からの一定の移動軌跡に沿った抜き取り操作を許すロック解除状態との間で切り換え可能なロック機構が設けられている写真処理装置であって、
前記ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記規制位置において前記ロック操作片と係合するように前記フィルムマスクユニットに形成された被係合部とを含み、
前記規制位置における前記フィルムマスクユニットの前記抜き取りに向けた操作が、前記ロック操作片を前記規制解除位置に変位させる操作力を生じない写真処理装置。
【請求項２】
前記ロック操作片は、前記本体に対して揺動軸芯周りで揺動可能に支持され、且つ、前記被係合部と係合可能な係合部を備えており、前記係合部は前記揺動軸芯よりも前記抜き取りの方向に関して上手側に設けてある請求項１に記載の写真処理装置。
【請求項３】
写真フィルムの画像面に担持された画像情報を前記画像面を透過した透過光に基づいて処理する画像処理部と、写真フィルムを支持するために前記画像処理部に対して着脱可能に配置されたフィルムマスクユニットとを有し、
前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有し、
写真処理装置の本体と前記フィルムマスクユニットの間に、前記開口部が前記透過光の光軸と一致する所定位置にある前記フィルムマスクユニットを、前記所定位置から移動不能なロック状態と、前記フィルムマスクユニットの前記所定位置からの移動を許すロック解除状態との間で切り換え可能なロック機構が設けられている写真処理装置であって、
前記フィルムマスクユニットには、前記フィルム搬送機構を駆動するためのモータが設けられており、前記本体には、前記モータに給電するための電源回路が設けられており、
前記フィルムマスクユニットと前記本体の間には、前記フィルムマスクユニットの前記所定位置への差し込みに基づいて互いに連結されて、前記電源回路から前記モータへモータ駆動電流を供給するモータ駆動制御回路を形成する一対のコネクタが設けられており、さらに
前記ロック機構の前記ロック解除状態への切り替えを検知する検知手段と、前記検知手段による前記ロック機構の前記ロック解除状態への切り替え検知に基づいて、前記モータ駆動制御回路を前記電源回路と前記モータの間で遮断する回路遮断機構が設けられている写真処理装置。
【請求項４】
前記本体に、前記モータを駆動操作するための制御信号を発生するドライバ回路が設けられており、前記モータ駆動制御回路は、前記ドライバ回路から前記モータへ前記制御信号を送る請求項３に記載の写真処理装置。
【請求項５】
写真フィルムの画像面に担持された画像情報を前記画像面を透過した透過光に基づいて処理する画像処理部と、写真フィルムを支持するために前記画像処理部に対して着脱可能に配置されたフィルムマスクユニットとを有し、
前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有し、
写真処理装置の本体と前記フィルムマスクユニットの間に、前記開口部が前記透過光の光軸と一致する所定位置にある前記フィルムマスクユニットを、前記所定位置から移動不能なロック状態と、前記フィルムマスクユニットの前記所定位置からの一定の移動軌跡に沿った抜き取り操作を許すロック解除状態との間で切り換え可能なロック機構が設けられている写真処理装置であって、
前記ロック機構は、前記フィルムマスクユニットを前記所定位置に移動させる操作に応じて自動的に前記ロック状態に切り換えられる自動ロック機構であり、
前記自動ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記フィルムマスクユニット上に形成された係合凹部と、前記ロック操作片と連結された補助操作片とを含み、この補助操作片に設けられた作用部は、前記ロック操作片の前記規制解除位置への変位操作に続く前記フィルムマスクユニットの前記所定位置からの抜き取り操作に応じて前記移動軌跡内の待機位置に変位し、前記所定位置へ差し込まれる前記フィルムマスクユニットによって前記移動軌跡外の作用位置に押し出され、この前記補助操作片の前記待機位置から前記作用位置への押し出し操作に基づいて、前記ロック操作片は前記規制位置に復帰操作される写真処理装置。
【請求項６】
前記ロック操作片と前記補助操作片は前記本体上に各々揺動可能に支持されており、前記ロック操作片と前記補助操作片の間には、前記補助操作片の前記待機位置から前記作用位置への変位に基づいて、前記ロック操作片を前記規制解除位置から前記規制位置へ切り換え操作するリンク部材が設けられており、前記補助操作片には、前記ロック操作片の前記規制位置から前記規制解除位置への切り換え操作に基づいて、前記補助操作片を前記待機位置に向けて付勢する第１付勢手段が取り付けられている請求項５に記載の写真処理装置。
【請求項７】
前記リンク部材と前記補助操作片は共通の軸芯上に揺動可能に支持されており、前記リンク部材と前記補助操作片の間には、前記ロック操作片の前記規制解除位置から前記規制位置への切り換え操作に伴う前記リンク部材の揺動に基づいて、前記補助操作片を前記待機位置から前記作用位置に切り替え操作し、前記フィルムマスクユニットが前記所定位置に在る状態における、前記ロック操作片の前記規制位置から前記規制解除位置への切り換え操作に伴う前記リンク部材の揺動に基づいて、前記補助操作片を前記作用位置から離脱させて前記フィルムマスクユニットに押し付ける連動機構が設けられている請求項６に記載の写真処理装置。
【請求項８】
前記連動機構は、前記リンク部材と前記補助操作片の間に互いに対向するように形成された一対の係止手段を含み、前記リンク部材と前記補助操作片とは、前記一対の係止手段どうしが噛合した連係状態と、前記一対の係合手段どうしが噛合解除された非連係状態の間で、前記軸芯に沿って相対移動可能に設けられており、前記連動機構は、さらに、前記リンク部材と前記補助操作片とを前記連係状態となるように近接付勢する第２付勢手段とを含み、前記一対の係合手段の少なくとも一方には、前記所定位置に在る前記フィルムマスクユニットが前記補助操作片の前記移動軌跡内への進入を阻止している状態における、前記ロック操作片の前記規制位置から前記規制解除位置への変位操作に応じて、前記リンク部材と前記補助操作片を前記第２付勢手段に抗して引き離して前記非連係状態にするカム面が形成されている請求項７に記載の写真処理装置。
【請求項９】
写真フィルムの画像面に担持された画像情報を前記画像面を透過した透過光に基づいて処理する画像処理部と、写真フィルムを支持するために前記画像処理部に対して着脱可能に配置されたフィルムマスクユニットとを有し、
前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有し、
写真処理装置の本体と前記フィルムマスクユニットの間に、前記開口部が前記透過光の光軸と一致する所定位置にある前記フィルムマスクユニットを、前記所定位置から移動不能なロック状態と、前記フィルムマスクユニットの前記所定位置からの移動を許すロック解除状態との間で切り換え可能なロック機構が設けられている写真処理装置であって、
前記ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記フィルムマスクユニット上に形成された係合凹部とを含み、前記ロック操作片には、前記規制位置において前記係合凹部内に進入し、前記規制解除位置において前記係合凹部内から離脱する係入突起が設けられており、
前記ロック操作片を前記規制位置と前記規制解除位置のいずれか一方の位置に選択的に付勢する第３付勢手段が設けられている写真処理装置。
【請求項１０】
写真フィルムの画像面に担持された画像情報を前記画像面を透過した透過光に基づいて処理する画像処理部と、写真フィルムを支持するために前記画像処理部に対して着脱可能に配置されたフィルムマスクユニットとを有し、
前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有し、
写真処理装置の本体と前記フィルムマスクユニットの間に、前記開口部が前記透過光の光軸と一致する所定位置にある前記フィルムマスクユニットを、前記所定位置から移動不能なロック状態と、前記フィルムマスクユニットの前記所定位置からの移動を許すロック解除状態との間で切り換え可能なロック機構が設けられている写真処理装置であって、
前記ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記フィルムマスクユニット上に形成された係合凹部とを含み、前記ロック操作片には、前記規制位置において前記係合凹部内に進入し、前記規制解除位置において前記係合凹部内から離脱する係入突起が設けられており、
前記ロック操作片には操作抓みが立設されており、前記本体には、前記ロック操作片の前記規制位置に際して前記操作抓みへのアクセスを許し、前記ロック操作片の前記規制解除位置に際して前記操作抓みを遮蔽するカバーが設けられている写真処理装置。
【請求項１１】
写真フィルムの画像面に担持された画像情報を前記画像面を透過した透過光に基づいて処理する画像処理部と、写真フィルムを支持するために前記画像処理部に対して着脱可能に配置されたフィルムマスクユニットとを有し、
前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有し、
写真処理装置の本体と前記フィルムマスクユニットの間に、前記開口部が前記透過光の光軸と一致する所定位置にある前記フィルムマスクユニットを、前記所定位置から移動不能なロック状態と、前記フィルムマスクユニットの前記所定位置からの移動を許すロック解除状態との間で切り換え可能なロック機構が設けられている写真処理装置であって、
前記ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記フィルムマスクユニット上に形成された係合凹部とを含み、前記ロック操作片には、前記規制位置において前記係合凹部内に進入し、前記規制解除位置において前記係合凹部内から離脱する係入突起が設けられており、
前記ロック機構の前記ロック解除状態への切り替えを検知する検知手段が設けられており、前記検知手段は、前記ロック操作片の前記規制位置と前記規制解除位置の間の切り替えに応じて入り切り操作される光センサ対である写真処理装置。
【発明の詳細な説明】
【０００１】
【発明の属する技術分野】
本発明は、写真処理装置に関し、より具体的には、写真フィルムの画像面に担持された画像情報を画像面を透過した透過光に基づいて処理する画像処理部と、写真フィルムを支持するために前記画像処理部に対して着脱可能に配置されたフィルムマスクユニットとを有し、前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有する写真処理装置に関する。
【０００２】
【従来の技術】
従来、上記の写真処理装置のフィルムマスクユニットと画像処理部の間には、フィルムマスクユニットの開口部が透過光の光軸と一致する所定位置に位置決めする手段が設けられているのみであった。したがって、写真処理の作業者が所定位置に位置決めされているフィルムマスクユニットを画像処理部から不用意に取り外し、フィルムマスクユニットと画像処理部の双方に跨って位置している写真フィルムを損傷する虞があった。また、特にフィルムマスクユニットに備えられたフィルム搬送用モータのドライバーがフィルムマスクユニット側ではなく写真処理装置の本体側に設置されている場合には、同ドライバーが破損する虞があった。
【０００３】
【発明が解決しようとする課題】
したがって、本発明の目的は、写真処理の作業者が所定位置に位置決めされているフィルムマスクユニットを画像処理部から不用意に取り外し、フィルムマスクユニットと画像処理部の双方に跨って位置している写真フィルムを損傷する虞や、フィルムマスクユニットに備えられたフィルム搬送用モータのドライバーがフィルムマスクユニット側ではなく写真処理装置の本体側に設置されている場合に、同ドライバーが破損する虞が少ない写真処理装置を提供することにある。
【０００４】
【課題を解決するための手段】
上記課題を解決するために、本発明による写真処理装置は、特許請求の範囲の各請求項に記された特徴構成を備えている。
因みに、本発明の請求項１による写真処理装置の特徴構成は、写真フィルムの画像面に担持された画像情報を前記画像面を透過した透過光に基づいて処理する画像処理部と、写真フィルムを支持するために前記画像処理部に対して着脱可能に配置されたフィルムマスクユニットとを有し、
前記フィルムマスクユニットは、前記透過光用の光源からの光を受け入れる開口部と、写真フィルムを前記フィルムマスクユニット上で移動操作して、必要な画像面を前記開口部に配置するためのフィルム搬送機構とを有し、
写真処理装置の本体と前記フィルムマスクユニットの間に、前記開口部が前記透過光の光軸と一致する所定位置にある前記フィルムマスクユニットを、前記所定位置から移動不能なロック状態と、前記フィルムマスクユニットの前記所定位置からの一定の移動軌跡に沿った抜き取り操作を許すロック解除状態との間で切り換え可能なロック機構が設けられている写真処理装置であって、
前記ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記規制位置において前記ロック操作片と係合するように前記フィルムマスクユニットに形成された被係合部とを含み、
前記規制位置における前記フィルムマスクユニットの前記抜き取りに向けた操作が、前記ロック操作片を前記規制解除位置に変位させる操作力を生じない点にある。
以上の特徴構成を有するために、本発明の請求項１による写真処理装置では、フィルムマスクユニットの画像処理部に関する所定位置へのセット操作後、フィルムマスクユニットを所定位置から移動不能にできるので、不用意にフィルムマスクユニットが画像処理部から抜き取られることがなくなり、結果的に、フィルムマスクユニットと画像処理部の双方に跨って位置している写真フィルムを損傷する虞や、フィルムマスクユニットに備えられたフィルム搬送用モータのドライバーがフィルムマスクユニット側ではなく写真処理装置の本体側に設置されている場合に、同ドライバーが破損する虞が解消された。フィルムマスクユニットを所定位置から移動したい場合には、フィルムの抜き取りが完了しているかや、ドライバーからフィルム搬送用モータへ駆動信号を送る回路を遮断したかを確認し、ロック機構をロック解除状態に切り換えた上で行えば良い。
【０００５】
本発明の請求項３による写真処理装置の特徴構成は、前記フィルムマスクユニットには、前記フィルム搬送機構を駆動するためのモータが設けられており、前記本体には、前記モータに給電するための電源回路が設けられており、
前記フィルムマスクユニットと前記本体の間には、前記フィルムマスクユニットの前記所定位置への差し込みに基づいて互いに連結されて、前記電源回路から前記モータへモータ駆動電流を供給するモータ駆動制御回路を形成する一対のコネクタが設けられており、さらに
前記ロック機構の前記ロック解除状態への切り替えを検知する検知手段と、前記検知手段による前記ロック機構の前記ロック解除状態への切り替え検知に基づいて、前記モータ駆動制御回路を前記電源回路と前記モータの間で遮断する回路遮断機構が設けられている点にある。
このように構成すれば、前記フィルムマスクユニットの前記所定位置からの抜き取り、言い換えれば、前記一対のコネクタの連結解除は、必ず前記ロック機構の前記ロック解除状態への切り替え操作を経て実現される。そして、この切り替え操作は、前記検知手段によって検知されて、回路遮断機構が、前記モータと前記電源回路の間に掛かっている電圧を遮断した後に初めて、前記一対のコネクタが連結解除される。すなわち、前記モータに電圧が掛けられたままの状態で前記一対のコネクタが連結解除されることが無くなり、回路部品などが破壊される虞が解消される。
【０００６】
さらに、前記本体に、前記モータを駆動操作するための制御信号を発生するドライバ回路が設けられており、前記モータ駆動制御回路は、前記ドライバ回路から前記モータへ前記制御信号を送るように構成することができる。この場合、回路遮断機構が、前記モータを介して前記電源回路から前記ドライバ回路に掛かっている電圧を遮断した後に初めて、すなわち、前記ドライバ回路に電圧が負荷されていない状態が達成された後に、前記一対のコネクタが連結解除される。すなわち、前記ドライバ回路に電圧が掛けられたままの状態で前記一対のコネクタが連結解除されることが無くなり、前記ドライバ回路に組み込まれた例えばトランジスタなどのドライブ素子が破壊されるなどの事態が防止される。また、このように構成すれば、ドライバーを前記フィルムマスクユニットではなく前記本体に設けることができるので、前記フィルムマスクユニットを小型軽量化することができる。
【０００７】
本発明の請求項５による写真処理装置の特徴構成は、前記ロック機構は、前記フィルムマスクユニットを前記所定位置に移動させる操作に応じて自動的に前記ロック状態に切り換えられる自動ロック機構であり、
前記自動ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記フィルムマスクユニット上に形成された係合凹部と、前記ロック操作片と連結された補助操作片とを含み、この補助操作片に設けられた作用部は、前記ロック操作片の前記規制解除位置への変位操作に続く前記フィルムマスクユニットの前記所定位置からの抜き取り操作に応じて前記移動軌跡内の待機位置に変位し、前記所定位置へ差し込まれる前記フィルムマスクユニットによって前記移動軌跡外の作用位置に押し出され、この前記補助操作片の前記待機位置から前記作用位置への押し出し操作に基づいて、前記ロック操作片は前記規制位置に復帰操作される点にある。
このように構成すれば、前記フィルムマスクユニットを前記所定位置に移動させるだけで、フィルムマスクユニットは所定位置から移動不能となり、フィルムマスクユニットの前記移動操作とは別にオペレータが手動でロック状態に切り換えねばならない構成に比して、作業が容易となる。
【０００８】
さらに、前記ロック操作片と前記補助操作片は前記本体上に各々揺動可能に支持されており、前記ロック操作片と前記補助操作片の間には、前記補助操作片の前記待機位置から前記作用位置への変位に基づいて、前記ロック操作片を前記規制解除位置から前記規制位置へ強制的に切り換え操作するリンク部材が設けられており、前記補助操作片には、前記ロック操作片の前記規制位置から前記規制解除位置への切り換え操作に基づいて、前記補助操作片を前記待機位置に向けて付勢する第１付勢手段が取り付けられている構成とすることができる。このように構成すれば、前記ロック操作片を前記規制位置から前記規制解除位置へ切り換え操作すると、前記補助操作片は前記待機位置に向けて付勢されるので、引き続き前記フィルムマスクユニットを抜き出せば、前記補助操作片が前記待機位置に戻り、次回の前記フィルムマスクユニットの差し込みに際して再び前記ロック操作片を前記規制位置に切り換え操作するための態勢が整う。
【０００９】
より具体的には、前記リンク部材と前記補助操作片は共通の軸芯上に揺動可能に支持されており、前記リンク部材と前記補助操作片の間に、前記ロック操作片の前記規制解除位置から前記規制位置への切り換え操作に伴う前記リンク部材の揺動に基づいて、前記補助操作片を前記待機位置から前記作用位置に切り替え操作し、前記フィルムマスクユニットが前記所定位置に在る状態における、前記ロック操作片の前記規制位置から前記規制解除位置への切り換え操作に伴う前記リンク部材の揺動に基づいて、前記補助操作片を前記作用位置から離脱させて前記フィルムマスクユニットに押し付ける連動機構を設ければ良い。このように構成すれば、前記フィルムマスクユニットが前記所定位置に在る状態から、前記フィルムマスクユニットを引き抜くために、前記ロック操作片を前記規制位置から前記規制解除位置へ変位操作すると、前記補助操作片は、前記第１付勢手段によって前記フィルムマスクユニットに押し付けられた状態に切り替わり、引き続き、前記フィルムマスクユニットを引き抜けば、前記補助操作片は、前記第１付勢手段によって前記待機位置に復帰する。
【００１０】
より具体的には、前記連動機構は、前記リンク部材と前記補助操作片の間に互いに対向するように形成された一対の係止手段を含み、前記リンク部材と前記補助操作片とは、前記一対の係止手段どうしが噛合した連係状態と、前記一対の係合手段どうしが噛合解除された非連係状態の間で、前記軸芯に沿って相対移動可能に設けられており、前記連動機構は、さらに、前記リンク部材と前記補助操作片とを前記連係状態となるように近接付勢する第２付勢手段とを含み、前記一対の係合手段の少なくとも一方には、前記所定位置に在る前記フィルムマスクユニットが前記補助操作片の前記軌跡内への進入を阻止している状態における、前記ロック操作片の前記規制位置から前記規制解除位置への変位操作に応じて、前記リンク部材と前記補助操作片を前記第２付勢手段に抗して引き離して前記非連係状態にするカム面が形成されているという形態で実現できる。
【００１１】
このように構成すれば、前記フィルムマスクユニットが前記所定位置に在る状態から、前記フィルムマスクユニットを引き抜くために、前記ロック操作片を前記規制位置から前記規制解除位置へ変位操作すると、前記一対の係合手段どうしが前記カム面の作用で非連係状態となって、前記補助操作片は、前記リンク部材との連係状態から解放されて、前記第１付勢手段によって前記フィルムマスクユニットに押し付けられた状態となる。そこで、前記フィルムマスクユニットを引き抜けば、前述のように、前記補助操作片は、前記待機位置に切り替わる。
【００１２】
他方、前記補助操作片が前記待機位置に在る状態で、前記フィルムマスクユニットを前記所定位置に向けて差し込めば、前記補助操作片は前記フィルムマスクユニットによって前記作用位置に押し戻されるが、この時、前記リンク部材は前記第２付勢手段によって既に前記補助操作片との連係状態が得られているので、同時に、前記リンク部材が揺動操作されて、前記ロック操作片を自動的に前記規制位置に切り換える。
【００１３】
本発明の請求項９による写真処理装置の特徴構成は、前記ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記フィルムマスクユニット上に形成された係合凹部とを含み、前記ロック操作片には、前記規制位置において前記係合凹部内に進入し、前記規制解除位置において前記係合凹部内から離脱する係入突起が設けられており、
前記ロック操作片を前記規制位置と前記規制解除位置のいずれか一方の位置に選択的に付勢する第３付勢手段が設けられている点にある。
このように構成すれば、前記ロック操作片は、前記規制位置と前記規制解除位置の各々に安定した状態で保持されるので、前記フィルムマスクユニットの差し込みに伴って前記ロック操作片は前記規制位置により確実に切り換えられ、一旦切り換えられると前記フィルムマスクユニットの引き抜きが確実に阻止され、また、前記ロック操作片は作業者の手動操作によって前記規制解除位置へ簡単に且つ確実に切り換えられる。
【００１４】
本発明の請求項１０による写真処理装置の特徴構成は、前記ロック機構は、前記フィルムマスクユニットの前記所定位置からの移動を不能とする規制位置と、前記フィルムマスクユニットの前記所定位置からの移動を可能にする規制解除位置との間で変位可能なロック操作片と、前記フィルムマスクユニット上に形成された係合凹部とを含み、前記ロック操作片には、前記規制位置において前記係合凹部内に進入し、前記規制解除位置において前記係合凹部内から離脱する係入突起が設けられており、
前記ロック操作片には操作抓みが立設されており、前記本体には、前記ロック操作片の前記規制位置に際して前記操作抓みへのアクセスを許し、前記ロック操作片の前記規制解除位置に際して前記操作抓みを遮蔽するカバーが設けられている点にある。
このように構成すれば、この操作抓みによって前記ロック操作片の前記規制位置から前記規制解除位置への変位操作が容易となり、しかも、一旦前記規制解除位置に切り換えられると、この操作抓みはカバーによって遮蔽されるので、作業者が不用意に前記ロック操作片を前記規制解除位置から前記規制位置へ直接操作することが極力防止できる。言い換えれば、前記ロック操作片の前記規制解除位置から前記規制位置への変位操作は、前記フィルムマスクユニットの前記所定位置への移動に伴って働く前記自動ロック機構によってのみ実施される構成が実現される。これによって、前記ロック操作片が前記規制状態に在ることを知らずに作業者が前記フィルムマスクユニットを差し込んで、前記ロック操作片の一部と前記フィルムマスクユニットとが衝突していずれかが損傷する等の事態が回避される。
【００１５】
本発明の請求項１１による写真処理装置の特徴構成は、規制位置と、前記フィルムマスクユニットの前記所定位置からの移動を可能にする規制解除位置との間で変位可能なロック操作片と、前記フィルムマスクユニット上に形成された係合凹部とを含み、前記ロック操作片には、前記規制位置において前記係合凹部内に進入し、前記規制解除位置において前記係合凹部内から離脱する係入突起が設けられており、
前記ロック機構の前記ロック解除状態への切り替えを検知する検知手段が設けられており、前記検知手段の具体的な構成としては、前記ロック操作片の前記規制位置と前記規制解除位置の間の切り替えに応じて入り切り操作される光センサ対である点にある。
【００１６】
本発明によるその他の特徴および利点は、以下図面を用いた実施形態の説明により明らかになるであろう。
【００１７】
【発明の実施の形態】
本発明の一実施形態について図面を参照しながら解説する。
図１に、本発明の写真処理装置の一例としてのフィルムスキャニングシステムの略図を示す。このフィルムスキャニングシステムは、操作テーブル１００とその下部に形成されたキャビネット２００からなるシステムの本体と、ネガフィルムまたはポジフィルムの各画像駒に担持された画像情報を読み取るフィルムスキャナー部３と、フィルムスキャナー部３で読み取られた画像情報を受け取って、後述するプリンタプロセサーでの露光用データに加工する機能を備えたコントローラ７とからなる。
【００１８】
（フィルムスキャナー部の構成）
フィルムスキャナー部３の主な構成要素は、照明光学系３１、撮像光学系３２、主走査方向に延びたライン状ＣＣＤを用いた光電変換部３３、写真フィルム１に対する光の照射範囲を決定するとともに写真フィルム１をライン状ＣＣＤによるスキャニングのために副走査方向に搬送するオートフィルムマスクユニット３４である。
照明光学系３１では、ランプハウス３１ａ内のハロゲンランプ３１ｂからの白色光が、必要に応じて調光フィルタ３１ｃ、ミラートンネル３１ｄによって光ビームの色分布や強度分布を整えられた上で、オートフィルムマスクユニット３４内に支持された写真フィルム１に照射される。写真フィルム１を透過して得られた透過光ビームを処理する撮像光学系３２は、ズームレンズを含むレンズユニット３２ｂと投射光の方向を変えるミラー３２ａとから構成されている。
撮像光学系３２によって導かれた光ビームを受けて光電変換する光電変換部３３は、ＲＧＢの各色を検出するために割り当てられた３つのＣＣＤセンサ３３ａ、３３ｂ、３３ｃを備えており、ここでは各ＣＣＤセンサは多数（例えば５０００個）のＣＣＤ素子が主走査方向に、つまり写真フィルム１の幅方向と平行に配列されるラインセンサーであり、センサー駆動回路による主走査時に電荷蓄積動作や電荷蓄積時間の制御が行われる。赤色用ＣＣＤセンサ３３ａの撮像面には写真フィルム１を透過した光の赤色成分のみを通過させるカラーフィルタが、同様に、緑色用ＣＣＤセンサ３３ｂの撮像面には緑色成分のみを通過させるカラーフィルタが、青色用ＣＣＤセンサ３３ｃの撮像面には青色成分のみを通過させるカラーフィルタが設けられており、それぞれ基本的に、青色成分、赤色成分、緑色成分のみを光電変換する。それぞれのＣＣＤセンサから出力される各画素信号はサンプルホールドされ各画素信号が連続した画像信号となり、この各画素信号は所定のビット数（例えば１２ビット）のデジタル信号に変換される。
図１に示されるように、フィルムスキャナー部３の構成要素の内、ランプハウス３１ａは操作テーブル１００の上に設置されているが、撮像光学系３２と光電変換部３３などは、操作テーブル１００の下部に形成されたキャビネット２００内に収納されている。
【００１９】
（オートフィルムマスクユニットの構成）
オートフィルムマスクユニット３４は、図２に示されるように、搬送される写真フィルム１の下側に位置するベース部材３４ａと、ベース部材３４ａに対してヒンジで支持され、閉鎖姿勢と開放姿勢との間で揺動操作可能なカバー部材３４ｂからなる。図２は開放姿勢の一例を示す。また、図３はベース部材３４ａとカバー部材３４ｂの間に写真フィルム１が挟まれた前記閉鎖姿勢を示す。
図３と図４に示されるように、ベース部材３４ａには、照明光学系３１から照射され写真フィルム１を透過した光をスリット光として撮像光学系３２に導く通過孔形成ブロック１０が設けられている。透過光形成ブロック１０に形成された通過孔１０ａの中心線は、スキャニングラインＳＬを定義している。尚、ベース部材３４ａには、ミラートンネル３１ｃを出た光を通過孔形成ブロック１０上のフィルム面に導くための開口部３４Ｆが形成されており、カバー部材３４ｂには、フィルム面を通過した透過光をレンズユニット３２ｂに導くための開口部３４Ｇが形成されている。
【００２０】
また、オートフィルムマスクユニット３４は、ベース部材３４ａとカバー部材３４ｂの間に支持された写真フィルム１を所定速度で副走査方向に走行させて、スキャニングラインＳＬを横断させるためのフィルム搬送機構９を有する。フィルム搬送機構９は、ベース部材３４ａ上に支持された送りローラ９ａと、カバー部材３４ｂに支持された圧着ローラ９ｂ、および、送りローラ９ａを回転駆動するパルスモータ１２を含む。カバー部材３４ｂの閉鎖姿勢では、写真フィルム１は、送りローラ９ａと圧着ローラ９ｂの間に押し付けられるので、確実なフィルム走行が得られる。送りローラ９ａと圧着ローラ９ｂは、いずれも、写真フィルム１のパーフォレーション付近のみを挟んで走行させるように、通過孔１０ａの上端と下端に設けられており、且つ、スキャニングラインＳＬを挟んでフィルム搬送方向の上流側と下流側の双方に設けられている。
【００２１】
尚、図１に示されるように、オートフィルムマスクユニット３４の右側には第１フィルム挿通口３４Ｃが、左側には第２フィルム挿通口３４Ｄが形成されている。写真フィルム１は通常、先ず写真フィルム１を第１フィルム挿通口３４Ｃから挿入して左側に搬送しながらプレスキャンを行い、次に、プレスキャンから引き続き右側に搬送しながら、或いは、第２フィルム挿通口３４Ｄから挿入し直して右側に搬送しながら本スキャンが実施される。
また、オートフィルムマスクユニット３４の背面側には、前記本体に設けられた定電圧回路１２０（電源回路の一例）およびドライバ回路１２１を、パルスモータ１２と接続するためのコネクタ１３ａ（ピン側）が設けられている。
【００２２】
図３と図４から明らかなように、通過孔形成ブロック１０には、余計な光がＣＣＤセンサに入射しないように光を遮蔽するために、フィルム搬送方向に直角な横断方向に沿って、かつ照明光学系３１の光軸に一致するようにスリット状の通過孔１０ａが形成されている。この通過孔１０ａの最狭隘部の副走査方向の幅は１ｍｍ程度で、その主走査方向の長さは写真フィルム１の幅より長く設定されている。したがって、ランプハウス３１ａから照射される光は、写真フィルム１に定義されている撮影画像エリア１ａを透過するばかりでなく、写真フィルム１のパーフォレーションよりさらに外側に区画されているフィルム情報エリア１ｂ（図示した１３５フィルムの場合、ＤＸコード等の情報が記されている）をも透過し、光電変換部３３に到達する。
【００２３】
また、カール傾向を持っている写真フィルム１の角がスキャニング搬送時に写真フィルム１の幅より長い通過孔１０ａに入り込まないように、通過孔形成ブロック１０の通過孔１０ａの両端領域、特に写真フィルム１のフィルム情報エリア１ｂに対応する箇所には、ガラス製などの光透過性部材１１が埋め込まれている。光透過性部材１１の角部は面取りされており、その円形端面の一方側はフィルム搬送面のレベルに一致させられている。光透過性部材１１の円形端面の他方側、つまり写真フィルム１と接しない方の面には銀又はアルミ蒸着によって減光層１１ａが形成されている。光透過性部材１１の減光層１１ａは、パーフォレーションを通過した強い光量をもった光を減光し、過剰な光量の光が光電変換部３３に達することを防止している。
【００２４】
また、図２から図５に示されるように、スキャニングラインＳＬのフィルム搬送方向上流側と下流側には、写真フィルム１の下面を支持するガイドローラ９ｃが配置されている。このガイドローラ９ｃは通過孔形成ブロック１０に設けられた溝に埋め込まれるような形で、ベース部材３４に対して回転可能に支持されている。このガイドローラ９ｃは、スキャニングラインＳＬを横断する写真フィルム１の走行性を確保している。さらに、カバー部材３４ｂには、写真フィルム１の幅方向中央部の上向き凸状のカール傾向を押さえ込むための押さえローラ９ｄが、やはりスキャニングラインＳＬのフィルム搬送方向上流側と下流側に位置するように、回転可能に支持されている。つまり、スキャンされる写真フィルム１は、その上面を押さえローラ９ｄに、そしてその下面を透過光形成ブロック１０の上面及びガイドローラ９ｃによってガイドされながら、スキャニングラインＳＬを横断していく。
【００２５】
図６に示されるように、オートフィルムマスクユニット３４は、閉鎖姿勢において操作テーブル１００上に固定されたマスクホルダ１０５に着脱可能に構成されている。マスクホルダ１０５に取り付けられると、オートフィルムマスクユニット３４の透過光形成ブロック１０に形成された通過孔１０ａが、ランプハウス３１ａ内のミラートンネル３１ｄの出口部の真下（開口部が透過光の光軸と一致する「所定位置」の一例）に来るように構成されている。
オートフィルムマスクユニット３４とマスクホルダ１０５の間には、オートフィルムマスクユニット３４を前記所定位置に位置決めする位置決め機構と、前記所定位置にオートフィルムマスクユニット３４を移動させる操作に応じて、オートフィルムマスクユニット３４を前記所定位置から移動不能なロック状態に自動的にロックする自動ロック機構とが設けられている。
【００２６】
先ず、前記位置決め機構は、オートフィルムマスクユニット３４のマスクホルダ１０５に対する垂直方向の位置決めと、水平面内におけるフィルム搬送方向の位置決めとを行うための第１位置決め機構、および、オートフィルムマスクユニット３４を最終的に前記「所定位置」に設置するべく、マスクホルダ１０５に対して水平面内でフィルム搬送方向と直角な方向に位置決めするための第２位置決め機構とからなる。
前記第１位置決め機構は、主に、マスクホルダ１０５上に操作テーブル１００の前後方向に延びるように設置された一対のレール１０６ａ，１０６ａ，１０６ｂと、これらレールの両外側に垂直軸芯回りで回転可能に設けられた合計３個の案内ローラ１０７ａ，１０７ｂ，１０７ｃ、および、オートフィルムマスクユニット３４の左右の下部に形成された直線状の切り欠き３５ａ，３５ｂとで構成されている。向かって左側のレール１０６ａに沿って互いに相前後して設けられた案内ローラ１０７ａ，１０７ｂの垂直軸芯は固定されているが、右側のレール１０６ｂの外側に配置された案内ローラ１０７ｃは、強力なねじりコイルばね１０８によって、左側のレール１０６ａに向けて付勢されている。また、案内ローラ１０７ａ，１０７ｂ，１０７ｃは下に向かって次第に径が小さくなる円錐台形をしており、他方、切り欠き３５ａ，３５ｂの正面視における断面は、これら円錐台形の周面とほぼ線接触する逆三角形であるので、左右の切り欠き３５ａ，３５ｂを、左側の案内ローラ１０７ａ，１０７ｂと右側の案内ローラ１０７ｃに各々係合させながら、操作テーブル１００の後方に向けて水平に押し込んで行けば、オートフィルムマスクユニット３４は、ねじりコイルばね１０８によって、左側の案内ローラ１０７ａ，１０７ｂに押し付けられるので、左右に関する位置決めが行われる。したがって、オートフィルムマスクユニット３４は、３つの案内ローラ１０７ａ，１０７ｂ，１０７ｃと左右の切り欠き３５ａ，３５ｂで定義される移動軌跡に沿って差し込み／抜き取りされることになる。
【００２７】
さらに、案内ローラ１０７ａ，１０７ｂ，１０７ｃの各円錐台形の周面と切り欠き３５ａ，３５ｂの間に得られるカム面状の作用によって、ねじりコイルばね１０８の付勢力は、オートフィルムマスクユニット３４を、レール１０６ａ，１０６ｂ上に押し付ける効果を発生するので、結果的に、オートフィルムマスクユニット３４を、垂直方向にも位置決めする。尚、３つの案内ローラどうしを結ぶと平面視で鋭角三角形が形成されるように、右側の案内ローラ１０７ｃは前後方向に関して左側の案内ローラ１０７ａ，１０７ｂの中間に位置するので、ねじりコイルばね１０８の付勢力は、オートフィルムマスクユニット３４を左側の２つの案内ローラ１０７ａ，１０７ｂにほぼ均等に押し付けて、その結果、オートフィルムマスクユニット３４は、がたつくこと無く３つの案内ローラ１０７間に安定して保持される。
【００２８】
他方、前記第２位置決め機構は、前記第１位置決め機構のねじりコイルばね１０８によって付勢された右側の案内ローラ１０７ｃと、オートフィルムマスクユニット３４の右側の切り欠き３５ｂの一部に形成された円弧状の係合凹部３５ｃ（図７を参照）とからなる。図６の矢印の方向にオートフィルムマスクユニット３４を押し込んで行き、遂に案内ローラ１０７ｃがこの係合凹部３５ｃ内に入り込むと、オートフィルムマスクユニット３４は前後方向に安定保持される。尚、係合凹部３５ｃの後方には、直線状の切り欠き３５ｂに対して傾斜した乗り上げ面３５ｄが形成されており、係合凹部３５ｃと乗り上げ面３５ｄの遭遇箇所は、直線状の切り欠き３５ｂよりも更に外側に突出した突起部３５ｅを形成している。すなわち、オートフィルムマスクユニット３４を押し込んで行く時に、案内ローラ１０７ｃは先ず乗り上げ面３５ｄを登って行き、遂に突起部３５ｅを越えた後に、係合凹部３５ｃ内に加速的に入り込むことで、オートフィルムマスクユニット３４を「所定位置」に位置決めすることになる。したがって、オートフィルムマスクユニット３４を押し込み操作するオペレータは、ねじりコイルばね１０８に基づく抵抗が、案内ローラ１０７ｃが乗り上げ面３５ｄを駆け上がるに従って増大する状態と、案内ローラ１０７ｃが急速に係合凹部３５ｃ内に進入する手応えを自分の手を介して感じ、その結果、作業者は、オートフィルムマスクユニット３４を「所定位置」に差し込む作業が確実に達成されたことを体感できる。もちろん、一旦「所定位置」に位置決めされたオートフィルムマスクユニット３４を引き抜くためには、案内ローラ１０７ｃを、ねじりコイルばね１０８の付勢力に抗して係合凹部３５ｃ内から脱出させ、突起部３５ｅを越えさせる必要がある。言い換えれば、オートフィルムマスクユニット３４が「所定位置」に位置決めされた状態では、ねじりコイルばね１０８の付勢力が、案内ローラ１０７ｃを係合凹部３５ｃ内に維持する操作を介して、オートフィルムマスクユニット３４を「所定位置」に保持していることになる。
【００２９】
次に前記自動ロック機構は、図８から図１０および図１２から図１４に示されるように、マスクホルダ１０５上の垂直な軸芯Ｐ１周りで揺動自在なロックレバー１１０（ロック操作片の一例）、および、垂直軸芯Ｐ２周りで揺動自在に支持された、第１ロックアーム１１２（リンク部材の一例）と第２ロックアーム１１５（補助操作片の一例）を含む。垂直軸芯Ｐ２は、マスクホルダ１０５から上に延びた固定軸１１４に形成されている。ロックレバー１１０と第２ロックアーム１１５とは、第１ロックアーム１１２を介して連結されている。軸芯Ｐ１とＰ２はいずれも左側のレール１０６ａの更に左手に配置されている。また、前記自動ロック機構は、オートフィルムマスクユニット３４の左側面に形成された係合凹部３４Ｈを含む。係合凹部３４Ｈは、オートフィルムマスクユニット３４の前記移動軌跡を横断する向きに開いている。
ロックレバー１１０の手前側の一端からは、操作抓み１１０ａが上方に突出しており、他端からは係入突起１１０ｂが横向きに延びている。オートフィルムマスクユニット３４が「所定位置」にある時、ロックレバー１１０は、オートフィルムマスクユニット３４の「所定位置」からの移動を不可能とするために、係入突起１１０ｂがオートフィルムマスクユニット３４の係合凹部３４Ｈ内に進入した規制位置（図１３の状態）と、オートフィルムマスクユニット３４の「所定位置」からの移動を可能とするために、係入突起１１０ｂが係合凹部３４Ｈから離脱した規制解除位置（図１４の状態）との間で揺動可能となっている。また、ロックレバー１１０とマスクホルダ１０５の間には、ロックレバー１１０を常に前記規制位置と前記規制解除位置のどちらかに付勢するためのトグルばね１１１が取り付けられているので、原則的に、ロックレバー１１０が前記規制位置と前記規制解除位置の中間位置に静止することは無い。因みに、マスクホルダ１０５上には、ロックレバー１１０が規制位置から規制解除位置に切り換え操作される際の、トグルばね１１１によるロックレバー１１０の規制解除位置向きの変位を所定位置で規制するためのストッパー１０５Ｔが立設されている。
【００３０】
図８の分解図に示されるように、ロックレバー１１０と第１ロックアーム１１２の間には、第１ロックアーム１１２の手前側の端部に前後方向に延びるように形成された長孔１１２ａと、ロックレバー１１０の係入突起１１０ｂの基端部付近から下方に延びた係入ピン１１０ｃとからなる連係機構が設けられている。したがって、第１ロックアーム１１２もまた、ロックレバー１１０の前記規制位置と前記規制解除位置の間の揺動操作に応じて、第１ロックアーム１１２が概して前後方向に真っ直ぐに延びた第１姿勢と傾斜した第２姿勢の間で軸芯Ｐ２周りで揺動操作される。
次に、第２ロックアーム１１５は、軸芯Ｐ２周りで水平方向に揺動可能なほぼ棒状の部材であり、軸芯Ｐ２付近に位置する基端部と、前記基端部からほぼ水平に延びた遊端部を備える。前記遊端部は、第２ロックアーム１１５の前記揺動に応じて、オートフィルムマスクユニット３４の前記移動軌跡内の待機位置と、前記移動軌跡外の作用位置との間で変位操作される、作用部１１５ａを構成している。そして、第２ロックアーム１１５は、マスクホルダ１０５と第２ロックアーム１１５の間に取り付けられた捻じりコイルばね１１６（第１付勢手段の一例）によって、前記待機位置に向けて付勢されている。
また、図８と図９に示されるように、第１ロックアーム１１２と第２ロックアーム１１５は、第１ロックアーム１１２が第２ロックアーム１１５の上に隣接する形態で固定軸１１４上に支持されている。
そして、第１ロックアーム１１２と第２ロックアーム１１５の間には、特殊な機能を備えた連動機構が設けられている。この連動機構は、第１ロックアーム１１２に形成された係合溝１１２ａと、第２ロックアーム１１５に形成された係合突起１１５ｂ、および、第１ロックアーム１１２を第２ロックアーム１１５に押し付けるために、固定軸１１４の上端に取り付けられたＥリングと第１ロックアーム１１２の間に介装された圧縮ばね１１７（第２付勢手段の一例）を含む。係合溝１１２ａと係合突起１１５ｂは、いずれも軸芯Ｐ２を中心とした径方向に延びている。また、図１２（ロ）に示されるように、係合突起１１５ｂを形成するために、軸芯Ｐ２側から径方向に延びている第２ロックアーム１１５上の２つの面の一方の壁面１１５ｓは、真上に延びているが、他方の壁面１１５ｔは、軸芯Ｐ２に対して傾斜したカム面を形成している。
【００３１】
（位置決め機構と自動ロック機構の働き）
図９と図１２（イ）は、オートフィルムマスクユニット３４が「所定位置」から抜き取られている状態を示す。このように、オートフィルムマスクユニット３４を「所定位置」から抜き取るために、ロックレバー１１０は規制解除位置に手動で操作されており、したがって、第１ロックアーム１１２は、長孔１１２ａと係入ピン１１０ｃとからなる連係機構に基づいて、傾斜した第２姿勢にある。そして、第２ロックアーム１１５の作用部１１５ａは、オートフィルムマスクユニット３４の前記移動軌跡内の待機位置にある。また、図１２（ロ）に示されるように、第２ロックアーム１１５と第１ロックアーム１１２とは、圧縮ばね１１７によって、係合溝１１２ａと係合突起１１５ｂとが噛合した連係状態を保持している。
この状態で、オートフィルムマスクユニット３４の左右の切り欠き３５ａ，３５ｂを、３つの案内ローラ１０７ａ，１０７ｂ，１０７ｃの間に係合させた上で、図６のように移動軌跡に沿って差し込んで行くと、先ず、案内ローラ１０７ｃが乗り上げ面３５ｄを登り上がり、次に係合凹部３５ｃ内に進入して、オートフィルムマスクユニット３４は「所定位置」に位置決めされる。この「所定位置」に到る移動軌跡に沿ったオートフィルムマスクユニット３４の動きの最終段階付近で、オートフィルムマスクユニット３４の背面部が、第２ロックアーム１１５の作用部１１５ａと接当し、これを奥側に押し出す作用を示す。そして、作用部１１５ａは最終的には軌跡外の作用位置に押し出されるが、この時、第２ロックアーム１１５の作用位置への変位は、係合溝１１２ａと係合突起１１５ｂとの噛合に基づいて（この時は、圧縮ばね１１７の付勢力が、ロックレバー１１０のトグルばね１１１の付勢力を克服するので、カム面を形成した壁面１１５ｔを介した連係状態に拘わらず、第１ロックアーム１１２を変位操作することができる）、第１ロックアーム１１２を前後に延びた第１姿勢に揺動操作するので、ロックレバー１１０は強制的に規制位置に変位して、図１３に示されるように、オートフィルムマスクユニット３４が「所定位置」にロックされる。尚、このオートフィルムマスクユニット３４が「所定位置」にロックされた状態では、第２ロックアーム１１５は、係合溝１１２ａと係合突起１１５ｂとの噛合に基づいて、第１ロックアーム１１２に対して垂直に延びた姿勢を取っており、その結果、「所定位置」にロックされたオートフィルムマスクユニット３４の背面とは接触していない。
【００３２】
次に、再びオートフィルムマスクユニット３４を「所定位置」から抜き取りたい場合には、先ず、オペレータが抓み１１０ａに指を掛けるなどして、ロックレバー１１０を規制解除位置にする必要がある。図１４に示されるように、このロックレバー１１０の揺動変位によって、第１ロックアーム１１２は傾斜した第２姿勢に切り替わる。この時、第２ロックアーム１１５も、係合溝１１２ａと係合突起１１５ｂとの噛合に基づいて、再び、その作用部１１５ａを待機位置に置いた姿勢に向けて揺動変位される。しかし、第２ロックアーム１１５は、第２位置決め機構によって「所定位置」に強固に保持されたオートフィルムマスクユニット３４の背面部と衝突して、その変位を途中で阻止されているため、係合溝１１２ａと係合突起１１５ｂとの噛合が、圧縮ばね１１７の付勢力に抗して解除され、第２ロックアーム１１５は、捻じりコイルばね１１６によって、オートフィルムマスクユニット３４の背面部に押し付けられた状態となる。すなわち、図１４（ロ）に示されるように、この場合には、圧縮ばね１１７の付勢力に抗して、第１ロックアーム１１２の係合溝１１２ａが、カム面としての壁面１１５ｔを乗り上がって、第１ロックアーム１１２と第２ロックアーム１１５の間の連係状態が解除される。但し、この実施形態では、実際には、第２ロックアーム１１５の高さは変わらず、第２ロックアーム１１５のカム面１１５ｔが圧縮ばね１１７の付勢力に抗して第１ロックアーム１１２を持ち上げ、第２ロックアーム１１５から引き離すという形態を取る。
【００３３】
上記のロックレバー１１０を規制解除位置に操作することによって自動ロック機構を解除する操作を行った後、オペレータが、オートフィルムマスクユニット３４を「所定位置」から抜き取る操作を行えば、図９と図１２に示されるように、第２ロックアーム１１５は、捻じりコイルばね１１６によって、再び前記軌跡内の待機位置に切り替わる。すなわち、この切り替わりによって、オートフィルムマスクユニット３４が「所定位置」に差し込まれる操作に基づく次回の自動ロック操作の準備が整えられる。
尚、マスクホルダ１０５には、コネクタ１３ｂ（ソケット側）が設置されており、オートフィルムマスクユニット３４の「所定位置」への差し込み操作に応じて、オートフィルムマスクユニット３４上のコネクタ１３ａは、このコネクタ１３ｂと連結されて、本体側の定電圧回路１２０からオートフィルムマスクユニット３４内のパルスモータ１２へ給電可能となる。
【００３４】
（回路開閉機構の構成）
このフィルムスキャニングシステムの本体には、前述したように、パルスモータ１２を駆動操作するための制御信号を発生するドライバ回路１２１と、パルスモータ１２およびドライバ回路１２１に給電するための定電圧回路１２０とが設けられており、オートフィルムマスクユニット３４と前記本体の間には、オートフィルムマスクユニット３４の「所定位置」への差し込みに基づいて互いに連結される一対のコネクタ１３ａ，１３ｂが設けられている。コネクタ１３ａ，１３ｂが連結されると、ドライバ回路１２１からパルスモータ１２へ前記制御信号を送り、定電圧回路１２０からパルスモータ１２へモータ駆動電流を供給するモータ駆動制御回路が形成される。
本発明に係るフィルムスキャニングシステムには、さらに、ロックレバー１１０の規制位置と規制解除位置のいずれの姿勢を示しているかを判定する判定手段と、前記判定手段による判定結果に基づいて、前記モータ駆動制御回路を定電圧回路１２０とパルスモータ１２の間で開閉操作する回路開閉機構が設けられている（図１１を参照）。前記判定手段は、「ロックレバー１１０の前記規制解除位置への切り替えを検知する手段」の一例であり、前記回路開閉機構は、「検知手段による前記切り替え検知に基づいて、モータ駆動制御回路を定電圧回路１２０とパルスモータ１２の間で遮断する回路遮断機構」の一例を構成する。
【００３５】
図１２に示されるように、前記判定手段は、マスクホルダ１０５に設置されたフォトインタラプタ型の一対の検出センサ対１１８，１１８と、第１ロックアーム１１２の中間付近に設けられた遮光片１１３、および、コントローラ７を含む。すなわち、ロックレバー１１０が図１３の規制位置に在り、したがって、第１ロックアーム１１２が第１姿勢をある時、遮光片１１３は検出センサ対１１８，１１８の間に進入して、センサ間の光ビームの授受を遮断する。他方、ロックレバー１１０が図１４の規制解除位置に在り、第１ロックアーム１１２が第２姿勢をある時、遮光片１１３は検出センサ対１１８，１１８の間に進入してセンサ対間の光ビームの授受を許す。
また、図１１に示されるように、前記回路開閉機構は、定電圧回路１２０とコネクタ１３ｂの間に介装されたリレー１２２とコントローラ７とからなる。
【００３６】
本実施形態のオートフィルムマスクユニット３４では、図１３のように、オートフィルムマスクユニット３４が「所定位置」に切り換えられている場合、この切り換えが完了するより前から既にコネクタ１３ａ，１３ｂどうしの連結が必ず確保されている。また、オートフィルムマスクユニット３４が「所定位置」にあれば、ロックレバー１１０は規制位置にあり、したがって、遮光片１１３が検出センサ対１１８，１１８を遮っているので、前記判定手段は、ロックレバー１１０が規制位置にあると電気的に判定することができる。前記判定手段のこの判定結果に基づいて、コントローラ７はリレー１２２を継電状態にし、その結果、定電圧回路１２０−パルスモータ１２−ドライバ回路１２１を結ぶモータ駆動制御回路が閉じられる。
この状態からオペレータがオートフィルムマスクユニット３４を「所定位置」から引き抜く場合を考えると、コネクタ１３ａ，１３ｂどうしが引き離される前に、必ずロックレバー１１０が規制解除位置に手動切り替えされる。この切り替え操作は判定手段によって検知され、これに基づいてコントローラ７はリレー１２２を遮断状態に切り換える。このリレー１２２が遮断されることで、定電圧回路１２０−パルスモータ１２−ドライバ回路１２１を結ぶモータ駆動制御回路が開かれる。すなわち、コネクタ１３ａ，１３ｂの分離は、飽くまでモータ駆動制御回路が開かれた後に行われるので、ドライバ回路１２１等がコネクタ１３分離時の電圧サージなどによって破損される虞が抑制されている。
【００３７】
次に、オペレータがオートフィルムマスクユニット３４を「所定位置」に差し込む場合を考える。この場合、前述したように、前記自動ロック機構によって、ロックレバー１１０が自動的に規制位置に切り換えられるが、このロックレバー１１０の規制位置への切り換えは必ず、コネクタ１３ａ，１３ｂどうしの連結（ここで言う「連結」は電気的な接続を指す）が確保された後に実施される。
すなわち、先ずコネクタ１３ａ，１３ｂどうしの電気的な連結が確保され、引き続き、オートフィルムマスクユニット３４による第２ロックアーム１１５の前記移動軌跡からの押し出し操作を介して、ロックレバー１１０が規制位置に切り換えられる。ロックレバー１１０の規制位置への切り替えが前記判定手段によって判定され、コントローラ７を介してリレー１２２が継電状態に切り換えられて、モータ駆動制御回路が閉じられる。したがって、この場合も、コネクタ１３ａ，１３ｂの連結は、未だモータ駆動制御回路が開かれた状態で行われ、言い換えれば、モータ駆動制御回路の閉じ操作は必ず、コネクタ１３ａ，１３ｂが連結された後に行われるので、ドライバ回路１２１等がコネクタ１３連結時の電圧サージなどによって破損される虞が抑制されている。
【００３８】
尚、図１０に示されるように、マスクホルダ１０５には、自動ロック機構のほぼ全体を覆うカバー１０９が着脱可能に設けられている。カバー１０９の一部には、ロックレバー１１０を覆う隆起部１０９ａがあり、隆起部１０９ａの背後には開口部１０９ａが貫通形成されている。ロックレバー１１０が前記規制解除位置にある時には（図１４を参照）、操作抓み１１０ａは隆起部１０９ａの下に隠れており、オペレータはロックレバー１１０を前記規制位置に手動で直接操作し難い。したがって、カバー１０９は、オートフィルムマスクユニット３４が「所定位置」に無い状態で、オペレータがロックレバー１１０を不用意に前記規制位置に手動操作することを回避する役目を果たしている。他方、ロックレバー１１０が前記規制位置にある時には（図１３を参照）、操作抓み１１０ａは隆起部１０９ａの下から開口部１０９ａ下へ抜け出てオペレータの眼下に完全に露出しているので、オペレータがロックレバー１１０の操作抓み１１０ａへアクセスして、ロックレバー１１０を規制解除位置に操作する際にはカバー１０９は支障とならない。
言い換えれば、上記の位置にカバー１０９を設けることで、ロックレバー１１０は、可及的にオートフィルムマスクユニット３４の「所定位置」への差し込み操作を介してのみ前記規制位置に変位操作されることになる。したがって、オートフィルムマスクユニット３４が「所定位置」に無く、定電圧回路１２０が、パルスモータ１２を介してドライバ回路１２１と接続された状態でないにも拘わらず、ロックレバー１１０が前記規制位置になり、前記回路開閉機構が働いて、リレー１２２が継電状態に切り換えられてしまう等の事態が防止されている。
【００３９】
尚、光電変換部３３を構成する３つのＣＣＤセンサ３３ａ、３３ｂ、３３ｃは、写真フィルム１の搬送方向に直交するように３ライン状に配列されており、各ＣＣＤセンサを構成するＣＣＤ素子の配列方向にフィルムスキャニングの主走査がなされ、写真フィルム１が搬送されることにより副走査がなされる。
写真フィルム１の或るコマ画像が、フィルム搬送機構９によって、オートフィルムマスクユニット３４内の所定のスキャン位置に位置決めされると、コマ画像の読取処理が開始される。この読取処理は、フィルム搬送機構９によって写真フィルム１を送りながら行われるので、コマ画像を副走査方向にスキャンする透過光が、順次に３つのＣＣＤセンサ３３ａ、３３ｂ、３３ｃによって読み取られることになる。尚、各ＣＣＤセンサが写真フィルム１の搬送方向に沿って数画素分の間隔を隔てて配置されているので、同一の画素におけるＲ、Ｇ、Ｂの各成分色の検出タイミングには時間差が生じるが、これは光電変換部３３の後段での信号処理により同一の画素のＲ、Ｇ、Ｂ画像信号が対応づけられてコントローラ７の所定のメモリに格納される。このような、フィルムスキャナー部３の照明光学系３１、撮像光学系３２、光電変換部３３の各制御はコントローラ７によって行われる。
【００４０】
（コントローラの構成）
図１に示されるように、コントローラ７は、フィルムスキャナ３内のフィルム搬送機構９を制御し、更に、前記判定手段の判定結果に基づいて前記回路開閉機構としてのリレー１２２を切り換えるスキャナ制御部７１、フィルムスキャナ３によって取得した撮影画像エリア１ａの画像データに対してホワイトバランスやネガポジ反転や輪郭強調などの画像処理を施しプリントデータを生成する撮影画像処理機能や、フィルムスキャナ３によって取得したフィルム情報エリア１ｂの画像データに対してバーコード認識処理などを施すフィルム情報処理機能を備えた画像処理部７２、画像処理部によって処理された画像データをモニター７ａに表示するためのビデオ信号を生成するビデオ処理部７３などからなる。コントローラ７は、通常メインコンピュータとサブコンピュータからなるマルチＣＰＵシステムで構築される。
尚、操作テーブル１００上には、フィルムスキャナー部３で読み取られた画像情報を一旦視覚化することで、前記撮影画像処理機能を助ける等の役割を持つモニター７ａや、オペレータがモニター７ａを見ながら前記撮影画像処理機能を進めるためのキーボード７ｂなどが設けられている。
また、キャビネット２００には、フロッピーディスク、ＣＤ−ＲＯＭ、ＭＯ等、フィルム以外の手段に記録された画像情報を入力するための外部入力部７ｃが設けられており、これらの記録手段に担持された画像情報もまた、同様に処理して前記プリンタプロセサーを介して印画紙等に出力することができる。
【００４１】
このようにして調整された画像データはプリンタプロセサー（図示されていない）へ送られ、ここで印画紙に露光され、この印画紙が現像および乾燥処理されて最終製品としての写真シートが得られる。前記プリンタプロセサーは、一般にデジタルエンジンと呼ばれる露光装置と印画紙を前記露光装置の露光面に対して一定速度で移動させる搬送装置とからなる露光部、露光後の印画紙を現像処理する現像処理タンク部、および乾燥部などで構成されている。デジタルエンジンには、現在のところＰＬＺＴシャッター方式、液晶シャッター方式、蛍光ビーム方式、ＦＯＣＲＴ方式などがあり、露光仕様に応じた特性のエンジンを採用すれば良い。
【００４２】
ＰＬＺＴシャッター方式が採用されている場合、デジタルエンジンの主体は、ＰＬＺＴ素子からなるシャッタアレイを採用した露光ヘッドと言うことになる。このＰＬＺＴ素子からなるシャッタアレイは、チタン酸ジルコン酸鉛にランタンを添加することにより得られる透明強誘電性セラミックス材料から構成され、その材料の有する電気光学効果を利用したもので、各シャッターにはＰＬＺＴ用光源から多数の光ファイバを介してＲ、Ｇ、Ｂ各色の光が導入される。このシャッタアレイは印画紙の幅方向、つまり搬送方向の横断方向に沿って延びている。各シャッターに所定レベルの電圧が印加されると、光透過状態になり、その電圧の印加が停止されると光遮断状態となる。従って、本発明に係るフィルムスキャニングシステムのコントローラ７から通信その他で送られたプリントデータに基づいて各画素に対応するシャッターに駆動電圧が印加されると、そのシャッターが開いて光源から導入されている色の光が印画紙に照射される。ＰＬＺＴ用光源には、Ｒ、Ｇ、Ｂの３色の光学フィルタからなる回転フィルタが備えられており、この回転フィルタを回転位相制御することにより、Ｒ、Ｇ、Ｂの内の１つが選択的に光源に対向し、その色のフィルタを介して選択色の光が光ファイバーを通じてシャッターに送られる。
【００４３】
〔別実施形態〕
＜１＞上記の実施形態では、ドライバ回路は本体側に設置されているのでオートフィルムマスクユニット３４の外形を可及的にコンパクトに且つ軽量で扱い易く形成することができる。しかし、写真処理装置の全般的な事情などに応じて、ドライバ回路をパルスモータと共にオートフィルムマスクユニット上に設置した構成とすることもできる。
【００４４】
＜２＞オートフィルムマスクユニットは、必ずしも、揺動に基づいて開閉操作可能なベース部材とカバー部材で構成される必要は無く、他の開閉機構を設けても良く、また、開閉操作の不要な形態でも良い。
【００４５】
＜３＞上記実施の形態では、スキャニング対象として１３５サイズの写真フィルムを取り扱ったが、もちろん、本発明は他の、１２０サイズや、全幅２４ｍｍのＡＰＳフィルムと呼ばれる写真フィルムにも適用することができる。
【図面の簡単な説明】
【図１】本発明によるフィルムスキャニングシステムの全体の概略正面図
【図２】オートフィルムマスクユニットの概略斜視図
【図３】オートフィルムマスクユニットの開口部付近を示した概略正面図
【図４】オートフィルムマスクユニットの通過孔形成ブロックを示す概略平面図
【図５】オートフィルムマスクユニットのカバー部材の要部を示す概略底面図
【図６】マスクホルダとオートフィルムマスクユニットを示す概略斜視図
【図７】オートフィルムマスクユニットの別の状態を示した概略斜視図
【図８】自動ロック機構の主な構成部材を示す分解斜視図
【図９】オートフィルムマスクユニット差し込み前のマスクホルダを示す概略平面図
【図１０】マスクホルダの要部を示す概略側面図
【図１１】判定手段と回路開閉機構を示すブロック図
【図１２】オートフィルムマスクユニット差し込み前の自動ロック機構を示す平面図
【図１３】オートフィルムマスクユニット差し込み完了後の自動ロック機構を示す平面図
【図１４】オートフィルムマスクユニット差し込み中、ロックレバーを規制解除位置に操作した状態の自動ロック機構を示す平面図
【符号の説明】
３    フィルムスキャナ部
７    コントローラ
９    フィルム搬送機構
１０    通過孔形成ブロック
１２    パルスモータ
１３    コネクタ
３４    オートフィルムマスクユニット
３５    切り欠き
１０５  マスクホルダ
１０７  案内ローラ
１０９  カバー
１１０  ロックレバー
１１２  第１ロックアーム
１１３  遮光片
１１５  第２ロックアーム
【図１】
0003719489.tif 000002
【図２】
0003719489.tif 000003
【図３】
0003719489.tif 000004
【図４】
0003719489.tif 000005
【図５】
0003719489.tif 000006
【図６】
0003719489.tif 000007
【図７】
0003719489.tif 000008
【図８】
0003719489.tif 000009
【図９】
0003719489.tif 000010
【図１０】
0003719489.tif 000011
【図１１】
0003719489.tif 000012
【図１２】
0003719489.tif 000013
【図１３】
0003719489.tif 000014
【図１４】
0003719489.tif 000015